(57)【要約】【課題】釣合おもりからの脱落をより確実に防止することができるエレベーターの釣合おもり用耐震装置、及びエレベーターの釣合おもり用耐震装置の取付方法を得る。【解決手段】エレベーターの釣合おもり用耐震装置８は、一対の縦枠１３を含むおもり枠と一対の縦枠１３間に配置されているおもりブロック１２とを有する釣合おもり５に取り付けられる。また、耐震装置８は、おもりブロック１２及び一対の縦枠１３をまとめて巻くベルト１９と、ベルト１９の両端部を繋ぐ接続具２０とを有する拘束体１７、及び一対の縦枠１３の少なくともいずれかに拘束体１７を固定する固定ボルト１８とを備えている。【選択図】図３
2018118842.tif 000002
【特許請求の範囲】
【請求項１】
一対の縦枠を含むおもり枠と前記一対の縦枠間に配置されているおもりブロックとを有する釣合おもりに取り付けられるエレベーターの釣合おもり用耐震装置であって、
前記おもりブロック及び前記一対の縦枠をまとめて巻くベルトと、前記ベルトの両端部を繋ぐ接続具とを有する拘束体、及び
前記一対の縦枠の少なくともいずれかに前記拘束体を固定する固定具
を備えているエレベーターの釣合おもり用耐震装置。
【請求項２】
前記ベルトと前記釣合おもりとの間に介在する緩衝材を備えている請求項１に記載のエレベーターの釣合おもり用耐震装置。
【請求項３】
前記固定具は、前記ベルトを前記接続具とともに前記縦枠に固定する請求項１又は請求項２に記載のエレベーターの釣合おもり用耐震装置。
【請求項４】
前記拘束体には、前記拘束体の長手方向に沿った長穴が設けられており、
前記縦枠には、前記長穴に通された前記固定具によって前記拘束体が固定される請求項１〜請求項３のいずれか一項に記載のエレベーターの釣合おもり用耐震装置。
【請求項５】
一対の縦枠を含むおもり枠と前記一対の縦枠間に配置されているおもりブロックとを有する釣合おもりに、拘束体と固定具とを有するエレベーターの釣合おもり用耐震装置を取り付ける方法であって、
前記拘束体のベルトを前記縦枠に前記固定具で固定する固定工程、
前記固定工程の後、前記ベルトによって前記おもりブロック及び前記一対の縦枠をまとめて巻くベルト配置工程、及び
前記ベルト配置工程の後、前記ベルトの両端部を前記拘束体の接続具で繋ぐベルト繋ぎ工程
を備えているエレベーターの釣合おもり用耐震装置の取付方法。
【発明の詳細な説明】
【技術分野】
【０００１】
この発明は、釣合おもりに取り付けられるエレベーターの釣合おもり用耐震装置、及びエレベーターの釣合おもり用耐震装置の取付方法に関するものである。
【背景技術】
【０００２】
従来、例えば地震が発生したときにおもり枠の一対の縦枠の間からおもりが脱落することを防止するために、一対の縦枠及びおもりをまとめてワイヤロープで締め付けるようにしたエレベーターの釣合おもりが知られている（例えば特許文献１参照）。
【先行技術文献】
【特許文献】
【０００３】
【特許文献１】特開平１０−６７４７８号公報
【発明の概要】
【発明が解決しようとする課題】
【０００４】
しかし、特許文献１に示されている従来のエレベーターの釣合おもりでは、ワイヤロープの締め付け力のみによってワイヤロープが釣合おもりに保持されているので、釣合おもりの振動等によってワイヤロープの位置が釣合おもりに対して上下方向へずれやすくなり、ワイヤロープが釣合おもりから脱落しやすくなってしまう。
【０００５】
この発明は、上記のような課題を解決するためになされたものであり、釣合おもりからの脱落をより確実に防止することができるエレベーターの釣合おもり用耐震装置、及びエレベーターの釣合おもり用耐震装置の取付方法を得ることを目的とする。
【課題を解決するための手段】
【０００６】
この発明によるエレベーターの釣合おもり用耐震装置では、一対の縦枠を含むおもり枠と一対の縦枠間に配置されているおもりブロックとを有する釣合おもりに取り付けられるエレベーターの釣合おもり用耐震装置であって、おもりブロック及び一対の縦枠をまとめて巻くベルトと、ベルトの両端部を繋ぐ接続具とを有する拘束体、及び一対の縦枠の少なくともいずれかに拘束体を固定する固定具を備えている。
【０００７】
また、この発明によるエレベーターの釣合おもり用耐震装置の取付方法は、一対の縦枠を含むおもり枠と一対の縦枠間に配置されているおもりブロックとを有する釣合おもりに、拘束体と固定具とを有するエレベーターの釣合おもり用耐震装置を取り付ける方法であって、拘束体のベルトを縦枠に固定具で固定する固定工程、固定工程の後、ベルトによっておもりブロック及び一対の縦枠をまとめて巻くベルト配置工程、及びベルト配置工程の後、ベルトの両端部を拘束体の接続具で繋ぐベルト繋ぎ工程を備えている。
【発明の効果】
【０００８】
この発明によるエレベーターの釣合おもり用耐震装置、及びエレベーターの釣合おもり用耐震装置の取付方法によれば、拘束体の位置が釣合おもりに対して上下方向へずれることを固定具によって防止することができる。これにより、釣合おもりからの耐震装置の脱落をより確実に防止することができ、おもり枠からのおもりブロックの脱落をより確実に防止することができる。
【図面の簡単な説明】
【０００９】
【図１】この発明の実施の形態１によるエレベーターを示す水平断面図である。
【図２】図１の釣合おもり及び耐震装置を示す正面図である。
【図３】図２のＩＩＩ−ＩＩＩ線に沿った断面図である。
【図４】この発明の実施の形態２によるエレベーターの釣合おもり用耐震装置が釣合おもりに取り付けられている状態を示す断面図である。
【図５】この発明の実施の形態３によるエレベーターの釣合おもり用耐震装置が釣合おもりに取り付けられている状態を示す断面図である。
【図６】図５のＶＩ−ＶＩ線に沿った断面図である。
【発明を実施するための形態】
【００１０】
以下、この発明の好適な実施の形態について図面を参照して説明する。
実施の形態１．
図１は、この発明の実施の形態１によるエレベーターを示す水平断面図である。図において、昇降路１内には、一対のかごガイドレール２及び一対の釣合おもりガイドレール３が設置されている。一対のかごガイドレール２間にはかご４が配置され、一対の釣合おもりガイドレール３間には釣合おもり５が配置されている。かご４及び釣合おもり５は、図示しない索状体によって昇降路１内に吊り下げられている。索状体としては、例えばロープ又はベルトが用いられている。かご４及び釣合おもり５を吊り下げる索状体は、昇降路１の上部に設置された図示しない巻上機の駆動綱車に巻き掛けられている。巻上機の駆動力によって駆動綱車が回転すると、かご４が一対のかごガイドレール２に案内されながら昇降路１内を上下方向へ移動し、釣合おもり５が一対の釣合おもりガイドレール３に案内されながら昇降路１内を上下方向へ移動する。
【００１１】
建物の各階には、昇降路１内と乗場とを連通する乗場出入口６が設けられている。かご４には、かご出入口７が設けられている。かご４は、上から見たとき、かご出入口７を乗場出入口６に対向させた状態で昇降路１内に配置されている。
【００１２】
釣合おもり５は、上から見たとき、一対の釣合おもりガイドレール３同士を結ぶ直線に沿った方向と釣合おもり５の幅方向を一致させた状態で昇降路１内に配置されている。また、釣合おもり５には、釣合おもり５の耐震性能を高めるエレベーターの釣合おもり用耐震装置８（以下、単に「耐震装置８」という）が設けられている。
【００１３】
図２は、図１の釣合おもり５及び耐震装置８を示す正面図である。また、図３は、図２のＩＩＩ−ＩＩＩ線に沿った断面図である。釣合おもり５は、おもり枠１１と、おもり枠１１に支持されている複数のおもりブロック１２とを有している。
【００１４】
おもり枠１１の上端部及び下端部のそれぞれには、釣合おもりガイドレール３に案内される図示しないガイド装置が設けられている。また、おもり枠１１は、釣合おもり５の幅方向について互いに対向する一対の縦枠１３と、一対の縦枠１３の下端部間に連結されている下枠１４と、一対の縦枠１３の上端部間に連結されている上枠１５とを有している。
【００１５】
一対の縦枠１３のそれぞれには、図３に示すように、上下方向に沿った溝部１６が設けられている。一対の縦枠１３は、釣合おもり５の幅方向について溝部１６を互いに対向させた状態で配置されている。また、一対の縦枠１３のそれぞれは、溝部１６の側面を形成する一対の側板部１３１と、一対の側板部１３１間に連結されて溝部１６の底面を形成する端板部１３２とを有している。各縦枠１３の断面形状は、一対の側板部１３１及び端板部１３２によってＵ字状になっている。
【００１６】
複数のおもりブロック１２は、上下方向について積層された状態で一対の縦枠１３間に配置されている。各おもりブロック１２は、各縦枠１３のそれぞれの溝部１６に嵌る一対の突起部１２１を有している。釣合おもり５では、一対の縦枠１３のそれぞれの溝部１６に突起部１２１が嵌ることにより、おもり枠１１からの各おもりブロック１２の脱落が防止される。
【００１７】
例えば地震又は強風による建物の揺れによっておもり枠１１が変形すると、おもりブロック１２の突起部１２１が縦枠１３の溝部１６から外れて、おもりブロック１２がおもり枠１１から脱落するおそれがある。耐震装置８は、各おもりブロック１２がおもり枠１１から脱落することを防止する。
【００１８】
耐震装置８は、釣合おもり５に巻かれている拘束体１７と、拘束体１７をおもり枠１１に固定する固定具である複数の固定ボルト１８とを有している。
【００１９】
拘束体１７は、おもりブロック１２及び一対の縦枠１３をまとめて巻いている状態で釣合おもり５の周囲に配置されるベルト１９と、ベルト１９の両端部を繋ぐ接続具２０とを有している。
【００２０】
ベルト１９は、一対の縦枠１３及びおもりブロック１２のそれぞれに接触した状態で釣合おもり５の周囲に巻かれている。また、ベルト１９は、引張強度が高くかつ伸縮しにくい材料で構成されている。ベルト１９としては、例えばアラミド繊維で構成されたベルトが用いられている。
【００２１】
接続具２０は、ベルト１９の一端部に取り付けられている第１の取付部材２１と、ベルト１９の他端部に取り付けられている第２の取付部材２２と、第１の取付部材２１及び第２の取付部材２２を互いに締結する複数の接続用締結具２３とを有している。
【００２２】
各接続用締結具２３は、第１の取付部材２１及び第２の取付部材２２を貫通するボルトと、このボルトに設けられたナットとを有している。第１の取付部材２１及び第２の取付部材２２は、各接続用締結具２３のボルトに対するナットの締め付け力によって互いに近づく方向へ締め付けられている。これにより、ベルト１９には、張力が発生している。
【００２３】
第１の取付部材２１は、複数の取付用締結具２４によってベルト１９の一端部に取り付けられている。各取付用締結具２４は、ベルト１９の一端部及び第１の取付部材２１を貫通するボルトと、このボルトに設けられたナットとを有している。第１の取付部材２１は、各取付用締結具２４のボルトに対してナットが締め付けられることにより、ベルト１９の一端部に取り付けられている。
【００２４】
第２の取付部材２２は、各固定ボルト１８によってベルト１９の他端部に取り付けられている。各固定ボルト１８は、ベルト１９の他端部及び第２の取付部材２２を貫通した状態で、一方の縦枠１３の側板部１３１に固定されている。一方の縦枠１３の側板部１３１には、各固定ボルト１８がそれぞれ嵌る複数のねじ穴が設けられている。各固定ボルト１８は、側板部１３１のねじ穴に嵌った状態でベルト１９及び第２の取付部材２２をまとめて締め付けることにより、第２の取付部材２２をベルト１９の他端部に取り付けているとともに、ベルト１９の他端部及び第２の取付部材２２を一方の縦枠１３に固定している。即ち、各固定ボルト１８は、ベルト１９の他端部を接続具２０とともに一方の縦枠１３に固定している。
【００２５】
例えば地震又は強風によって建物に揺れが発生して、一対の縦枠１３が互いに離れる方向へおもり枠１１が力を受けたときには、拘束体１７によっておもり枠１１の変形が抑制される。これにより、おもりブロック１２の突起部１２１が縦枠１３の溝部１６から外れることが防止され、おもりブロック１２がおもり枠１１から脱落することが防止される。また、釣合おもり５の振動等によって耐震装置８の位置が釣合おもり５に対して上下方向へずれることも固定ボルト１８によって防止される。これにより、耐震装置８が釣合おもり５から脱落することが防止される。
【００２６】
次に、耐震装置８を釣合おもり５に取り付けるときの取付方法について説明する。耐震装置８を釣合おもり５に取り付けるときには、エレベーターの運転モードを保守運転モードに切り替えた後、乗場から乗場出入口６を通ってかご４の上部に乗る。この後、かご４の上部に設けられた手動操作スイッチを操作してかご４及び釣合おもり５を移動させ、釣合おもり５に対して作業可能な位置にかご４を停止させる。
【００２７】
この後、かご４の上部に乗った作業員は、電動工具等によって一方の縦枠１３の側板部１３１に複数のねじ穴を形成する。なお、縦枠１３にねじ穴が予め形成されている場合には、この作業は不要である（ねじ穴形成工程）。
【００２８】
この後、接続具２０の第２の取付部材２２及びベルト１９の他端部に固定ボルト１８を貫通させ、貫通した固定ボルト１８を縦枠１３のねじ穴に嵌めて固定ボルト１８を締め付ける。これにより、接続具２０の第２の取付部材２２及びベルト１９の他端部が一方の縦枠１３に固定される（固定工程）。
【００２９】
この後、固定ボルト１８を起点として一対の縦枠１３及びおもりブロック１２の周囲にベルト１９を掛けまわすことにより、一対の縦枠１３及びおもりブロック１２をベルト１９でまとめて巻く（ベルト配置工程）。
【００３０】
この後、接続用締結具２３でベルト１９の両端部を繋ぐ。即ち、ベルト１９の一端部に予め取り付けておいた第１の取付部材２１と、一方の縦枠１３に固定ボルト１８で固定されている第２の取付部材２２とに接続用締結具２３のボルトを貫通させ、貫通したボルトにナットを嵌めてナットを締め付ける。これにより、ベルト１９の両端部が接続用締結具２３を介して繋がり、ベルト１９に張力が発生する。なお、第１の取付部材２１は、ベルト配置工程の後、即ちベルト１９で一対の縦枠１３及びおもりブロック１２を巻いた後にベルト１９に取り付けてもよい（ベルト繋ぎ工程）。このようにして、耐震装置８を釣合おもり５に取り付ける。
【００３１】
このような耐震装置８では、釣合おもり５の周囲に配置されるベルト１９と、ベルト１９の両端部間を繋ぐ接続具２０とを有する拘束体１７が、固定ボルト１８によって縦枠１３に固定されるので、釣合おもり５の揺れによっておもり枠１１に外力が作用した場合でも、一対の縦枠１３の変形を拘束体１７によって抑制することができる。また、拘束体１７の位置が釣合おもり５に対して上下方向へずれることも固定ボルト１８によって防止することができる。これにより、釣合おもり５からの耐震装置８の脱落をより確実に防止することができ、おもり枠１１からのおもりブロック１２の脱落をより確実に防止することができる。
【００３２】
また、固定ボルト１８は、ベルト１９を接続具２０とともに縦枠１３に固定しているので、ベルト１９に対する接続具２０の取り付けと、縦枠１３に対するベルト１９の固定とを共通の固定ボルト１８で行うことができる。これにより、部品点数を減少させることができる。また、接続具２０が縦枠１３に固定されるので、縦枠１３に対する拘束体１７の保持の状態を安定させることができる。さらに、ベルト１９を釣合おもり５に巻くときに、ベルト１９が釣合おもり５に対して固定された状態でベルト１９を巻くことができるので、釣合おもり５に対してベルト１９を容易にかつより確実に巻くことができる。これにより、釣合おもり５に対する耐震装置８の取り付け作業の手間を軽減させることができるとともに、釣合おもり５に耐震装置８をより確実に取り付けることができる。
【００３３】
また、このようなエレベーターの釣合おもり用耐震装置８の取付方法では、縦枠１３にベルト１９を固定ボルト１８で固定した後、ベルト１９によって一対の縦枠１３及びおもりブロック１２をまとめて巻いて、ベルト１９の両端部を接続具２０で繋ぐので、ベルト１９が釣合おもり５に対して固定された状態でベルト１９を巻くことができる。これにより、釣合おもり５に対してベルト１９を容易にかつより確実に巻くことができ、釣合おもり５に対する耐震装置８の取り付け作業の手間を軽減させることができるとともに、釣合おもり５に耐震装置８をより確実に取り付けることができる。
【００３４】
実施の形態２．
図４は、この発明の実施の形態２によるエレベーターの釣合おもり用耐震装置が釣合おもりに取り付けられている状態を示す断面図である。本実施の形態では、ベルト１９と釣合おもり５との間に緩衝材である複数のパッド３１が介在している。パッド３１は、一対の縦枠１３及びおもりブロック１２のそれぞれとベルト１９との間に介在している。この例では、一対の縦枠１３の４つの角部及びおもりブロック１２の４つの角部のそれぞれとベルト１９との間にのみパッド３１が介在している。パッド３１としては、例えばゴム製のパッドが用いられている。他の構成は実施の形態１と同様である。
【００３５】
このような耐震装置８では、釣合おもり５とベルト１９との間に緩衝材であるパッド３１が介在しているので、釣合おもり５によるベルト１９の摩耗をパッド３１によって抑制することができる。これにより、ベルト１９の長寿命化を図ることができる。
【００３６】
また、釣合おもり５とベルト１９との間にゴム製のパッド３１が介在しているので、釣合おもり５に対するベルト１９の摩擦力を高めることができ、釣合おもり５に対してベルト１９をさらにずれにくくすることができる。これにより、釣合おもり５からの耐震装置８の脱落をさらに確実に防止することができる。
【００３７】
実施の形態３．
図５は、この発明の実施の形態３によるエレベーターの釣合おもり用耐震装置が釣合おもりに取り付けられている状態を示す断面図である。また、図６は、図５のＶＩ−ＶＩ線に沿った断面図である。本実施の形態では、接続具２０が固定ボルト１８によって縦枠１３に固定されておらず、ベルト１９のみが固定ボルト１８によって縦枠１３に固定されている。
【００３８】
接続具２０の第１の取付部材２１は複数の取付用締結具２４によってベルト１９の一端部に取り付けられ、接続具２０の第２の取付部材２２は複数の取付用締結具２５によってベルト１９の他端部に取り付けられている。取付用締結具２４の構成は実施の形態１と同様である。
【００３９】
各取付用締結具２５は、ベルト１９の他端部及び第２の取付部材２２を貫通するボルトと、このボルトに設けられたナットとを有している。第２の取付部材２２は、各取付用締結具２５のボルトに対してナットが締め付けられることにより、ベルト１９の他端部に取り付けられている。接続具２０の他の構成は実施の形態１と同様である。
【００４０】
拘束体１７には、拘束体１７の長手方向に沿った複数の長穴３２が設けられている。この例では、複数の長穴３２がベルト１９の幅方向に互いに離してベルト１９に設けられている。また、複数の長穴３２は、一方の縦枠１３の側板部１３１に重なるベルト１９の部分に設けられている。
【００４１】
複数の固定ボルト１８のそれぞれは、長穴３２に通されている。ベルト１９は、長穴３２に通された複数の固定ボルト１８によって一方の縦枠１３の側板部１３１に固定されている。他の構成は実施の形態１と同様である。
【００４２】
次に、耐震装置８を釣合おもり５に取り付けるときの取付方法について説明する。耐震装置８を釣合おもり５に取り付けるときには、実施の形態１と同様にして、作業員がかご４の上部に乗った状態で釣合おもり５に対して作業可能な位置にかご４を停止させる。この後、一方の縦枠１３の側板部１３１に複数のねじ穴を形成する。なお、縦枠１３にねじ穴が予め形成されている場合には、この作業は不要である（ねじ穴形成工程）。
【００４３】
この後、ベルト１９に設けられている長穴３２に固定ボルト１８を通し、各長穴３２に通した各固定ボルト１８を縦枠１３のねじ穴に嵌める。このとき、縦枠１３のねじ穴に嵌まった固定ボルト１８を緩めた状態で、固定ボルト１８に対するベルト１９の位置を長穴３２の長手方向の範囲内で調整する。この後、各固定ボルト１８を締め付ける。これにより、ベルト１９が一方の縦枠１３に固定される（固定工程）。
【００４４】
この後、固定ボルト１８を起点として、一対の縦枠１３及びおもりブロック１２の周囲にベルト１９を掛けまわすことにより、一対の縦枠１３及びおもりブロック１２をベルト１９でまとめて巻く（ベルト配置工程）。
【００４５】
この後、接続用締結具２３でベルト１９の両端部を繋ぐ。即ち、ベルト１９の一端部に取付用締結具２４で予め取り付けておいた第１の取付部材２１と、ベルト１９の他端部に取付用締結具２５で予め取り付けておいた第２の取付部材２２とに接続用締結具２３のボルトを貫通させ、貫通したボルトにナットを嵌めてナットを締め付ける。これにより、ベルト１９の両端部が接続用締結具２３を介して繋がり、ベルト１９に張力が発生する。なお、第１及び第２の取付部材２１，２２は、ベルト配置工程の後、即ちベルト１９で一対の縦枠１３及びおもりブロック１２を巻いた後にベルト１９に取り付けてもよい（ベルト繋ぎ工程）。このようにして、耐震装置８を釣合おもり５に取り付ける。
【００４６】
このような耐震装置８では、拘束体１７の長手方向に沿った長穴３２が拘束体１７に設けられているので、固定ボルト１８に対する拘束体１７の位置を拘束体１７の長手方向について調整することができる。これにより、例えばベルト１９の両端部を繋げる作業が行いやすい位置又は干渉物を回避する位置等に接続具２０の位置を調整することができる。
【００４７】
また、固定ボルト１８は、ベルト１９のみを縦枠１３に固定しているので、固定ボルト１８によるベルト１９の固定作業を容易にすることができる。
【００４８】
なお、上記の例では、ベルト１９にのみ長穴３２が設けられているが、これに限定されず、ベルト１９の他端部及び接続具２０の第２の取付部材２２のそれぞれに長穴３２を設け、ベルト１９及び第２の取付部材２２のそれぞれの長穴３２に通した固定ボルト１８によって、ベルト１９を第２の取付部材２２とともに縦枠１３に固定してもよい。このようにすれば、拘束体１７の位置調整が可能になるとともに、部品点数を減少させることもできる。
【００４９】
また、上記の例では、固定ボルト１８が通される長穴３２がベルト１９に設けられているが、例えば固定ボルト１８を通す丸穴がベルト１９に設けられていてもよい。
【００５０】
また、上記の例では、ベルト１９を縦枠１３に固定した後、一対の縦枠１３及びおもりブロック１２をベルト１９で巻いて、ベルト１９の両端部を接続具２０で繋ぐようにしているが、一対の縦枠１３及びおもりブロック１２をベルト１９で巻いて、ベルト１９の両端部を接続具２０で繋いだ後に、一方の縦枠１３にベルト１９を固定ボルト１８で固定してもよい。
【００５１】
また、上記の例では、ベルト１９と釣合おもり５との間に介在するものはないが、実施の形態２と同様にして、ベルト１９と釣合おもり５との間に緩衝材であるゴム製のパッドを介在させてもよい。
【００５２】
また、各上記実施の形態では、一対の縦枠１３のうち、一方の縦枠１３にのみ拘束体１７が固定ボルト１８によって固定されているが、一対の縦枠１３のそれぞれに固定ボルト１８によって拘束体１７を固定してもよい。
【００５３】
また、各上記実施の形態では、釣合おもり５に巻かれる拘束体１７の数が１つのみであるが、釣合おもり５に巻かれる拘束体１７の数を複数にしてもよい。この場合、複数の拘束体１７のそれぞれは、縦枠１３に固定ボルト１８によって個別に固定される。また、この場合、複数の拘束体１７は、上下方向について並んで配置される。
【符号の説明】
【００５４】
５  釣合おもり、８  耐震装置、１１  おもり枠、１２  おもりブロック、１３  縦枠、１７  拘束体、１８  固定ボルト（固定具）、１９  ベルト、２０  接続具、３１  パッド（緩衝材）、３２  長穴。
【図１】
2018118842.tif 000003
【図２】
2018118842.tif 000004
【図３】
2018118842.tif 000005
【図４】
2018118842.tif 000006
【図５】
2018118842.tif 000007
【図６】
2018118842.tif 000008